(57)【要約】【課題】  素材として用いる木あるいは竹の香り、肌触りといった趣が使用者に伝わり易く、また、耐久性にも配慮された箸を提供する。【解決手段】  箸１は、木または竹を素材とする箸、とくに割り箸由来の素材を、その素材に用いた箸であって、この箸１の、箸先３の端面部３ａおよび箸頭４の端面部４ａには、塗料２が塗布されている。そして、この箸１の、箸先３の端面部３ａおよび箸頭４の端面部４ａ以外の本体部分５には、その周面を被う塗装は施されておらず、前記素材としての木または竹が露出している。【選択図】  図１
2009034351.tif 000002
【特許請求の範囲】
【請求項１】
木あるいは竹を素材として用いる箸であって、
その箸先の端面部に塗料が塗布され、かつ、前記箸先の端面部以外の本体部分には、その周面を被う塗装は施されておらず、前記素材が露出していることを特徴とする箸。
【請求項２】
前記箸先の端面部に塗布される塗料は、漆であることを特徴とする、請求項１に記載の箸。
【請求項３】
前記箸先の端面部以外の前記本体部分に、名あるいは氏名が表示されていることを特徴とする、請求項１または２に記載の箸。
【請求項４】
前記箸先の端面部以外の前記本体部分に、家紋が表示されていることを特徴とする、請求項１ないし３のいずれか１項に記載の箸。
【請求項５】
木あるいは竹を素材として用いる箸であって、
その箸先の端面部および箸頭の端面部に塗料が塗布され、かつ、前記箸先の端面部および前記箸頭の端面部以外の本体部分には、その周面を被う塗装は施されておらず、前記素材が露出していることを特徴とする箸。
【請求項６】
前記箸先の端面部に塗布される塗料は、漆であり、
前記箸頭の端面部に塗布される塗料は、漆または合成樹脂塗料であることを特徴とする、請求項５に記載の箸。
【請求項７】
前記箸先の端面部および前記箸頭の端面部以外の前記本体部分に、名あるいは氏名が表示されていることを特徴とする、請求項５または６に記載の箸。
【請求項８】
前記箸先の端面部および前記箸頭の端面部以外の前記本体部分に、家紋が表示されていることを特徴とする、請求項５ないし７のいずれか１項に記載の箸
【請求項９】
前記素材には、割り箸由来の素材が用いられていることを特徴とする、請求項１ないし８のいずれか１項に記載の箸。
【請求項１０】
前記箸は、割り箸であることを特徴とする、請求項１ないし８のいずれか１項に記載の箸。
【発明の詳細な説明】
【技術分野】
【０００１】
この発明は、素材として用いる木あるいは竹の趣が使用者に伝わり易く、また、耐久性にも配慮した箸に関する。
【背景技術】
【０００２】
従来、木あるいは竹を素材とする飲食用具の箸として、その表面に塗料が塗布された塗り箸があった（例えば、特許文献１参照）。この塗り箸は、前記素材が、前記塗料により形成される塗膜によって保護されており、水分が浸透し難く、耐久性に優れ、繰り返し使用するのに適していた。その一方で、塗膜による保護がなく、耐久性に劣る、割り箸その他の使い捨て箸もあった。
【０００３】
【特許文献１】特開平５−３８２５号公報
【発明の開示】
【発明が解決しようとする課題】
【０００４】
ところで、前記従来の塗り箸にあっては、耐久性に優れる反面、塗料によって、木あるいは竹の香りや肌触りといった趣が、使用者に伝わり難かった。また、前記従来の割り箸その他の使い捨て箸にあっては、前記趣が使用者に伝わり易い反面、耐久性に乏しく、一度使用した後に捨てるのが一般的となっており、ゴミの増加の一因となっていた。この発明は、上記した従来の欠点を解決するためになされたものであり、その目的とするところは、素材として用いる木あるいは竹の趣が使用者に伝わり易く、また、耐久性について配慮された箸を提供することにある。
【０００５】
また、他の目的は、ゴミの減量化に役立つ前記箸を提供することにある。
【課題を解決するための手段】
【０００６】
この発明に係る箸は、前記目的を達成するために、次の構成からなる。すなわち、請求項１に記載の発明に係る箸は、木あるいは竹を素材として用いる箸であって、その箸先の端面部に塗料が塗布され、かつ、前記箸先の端面部以外の本体部分には、その周面を被う塗装は施されておらず、前記素材が露出している。
【０００７】
この箸にあっては、箸先の端面部以外の本体部分には、その周面を被う塗装は施されておらず、素材としての木あるいは竹が、この箸の本体部分の大部分において露出しており、その木あるいは竹の香りや肌触りといった趣が、使用者に伝わり易くなっている。そして、水分が浸入し易い前記箸先の端面部に、塗料が塗布されることにより、その箸先の端面部から水分が浸入し難くなっており、耐久性に配慮された箸となっている。なお、この明細書で、塗料が塗布される「箸先の端面部」とは、箸先の端面のみを指す場合、および、箸先の端面とその近辺部を指す場合の、双方を含む概念である。
【０００８】
また、請求項２に記載の発明に係る箸は、請求項１に記載の箸において、前記箸先の端面部に塗布される塗料は、漆である。
【０００９】
また、請求項３に記載の発明に係る箸のように、請求項１または２に記載の箸において、前記箸先の端面部以外の前記本体部分に、名あるいは氏名が表示されていてもよい。
【００１０】
また、請求項４に記載の発明に係る箸のように、請求項１ないし３のいずれか１項に記載の箸において、前記箸先の端面部以外の前記本体部分に、家紋が表示されていてもよい。
【００１１】
また、請求項５に記載の発明に係る箸は、木あるいは竹を素材として用いる箸であって、その箸先の端面部および箸頭の端面部に塗料が塗布され、かつ、前記箸先の端面部および前記箸頭の端面部以外の本体部分には、その周面を被う塗装は施されておらず、前記素材が露出している。
【００１２】
この箸にあっては、箸先の端面部および箸頭の端面部以外の本体部分には、その周面を被う塗装は施されておらず、素材としての木あるいは竹が、この箸の本体部分の大部分において露出しており、その木あるいは竹の香りや肌触りといった趣が、使用者に伝わり易くなっている。そして、水分が浸入し易い、前記箸先の端面部および前記箸頭の端面部に、塗料が塗布されることにより、それら箸先の端面部および箸頭の端面部から水分が浸入し難くなっており、耐久性に配慮された箸となっている。なお、この明細書で、塗料が塗布される「箸頭の端面部」とは、箸頭の端面のみを指す場合、および、箸頭の端面とその近辺部を指す場合の、双方を含む概念である。
【００１３】
また、請求項６に記載の発明に係る箸は、請求項５に記載の箸において、前記箸先の端面部に塗布される塗料は、漆であり、前記箸頭の端面部に塗布される塗料は、漆または合成樹脂塗料である。
【００１４】
また、請求項７に記載の発明に係る箸のように、請求項５または６に記載の箸において、前記箸先の端面部および前記箸頭の端面部以外の前記本体部分に、名あるいは氏名が表示されていてもよい。
【００１５】
また、請求項８に記載の発明に係る箸のように、請求項５ないし７のいずれか１項に記載の箸において、前記箸先の端面部および前記箸頭の端面部以外の前記本体部分に、家紋が表示されていてもよい。
【００１６】
また、請求項９に記載の発明に係る箸は、請求項１ないし８のいずれか１項に記載の箸において、前記素材には、割り箸由来の素材が用いられている。こうすることで、割り箸由来の素材（例えば、割れ目が設けられていない、割り箸の形状に裁断された板材をその長手方向に二つに切断することにより得られる一対の箸用素材、あるいは、割れ目が設けられた割り箸をその割れ目に沿って二つに割ることにより得られる一対の箸用素材等）を、この箸の素材として利用しつつも、耐久性に配慮された、繰り返し使用に適した箸が形成される。
【００１７】
また、請求項１０に記載の発明に係る箸は、請求項１ないし８のいずれか１項に記載の箸において、前記箸は、割り箸である。この箸は、従来の割り箸と比較して、耐久性に配慮されており、繰り返して使用するのに適した割り箸となっている。
【発明の効果】
【００１８】
この発明に係る箸によれば、次の効果がある。
【００１９】
請求項１ないし４に記載された箸によれば、その箸先の端面部に塗料が塗布され、かつ、箸先の端面部以外の本体部分には、その周面を被う塗装は施されておらず、素材としての木あるいは竹が、この箸の本体部分の大部分において露出しているため、その木あるいは竹の趣が使用者に伝わり易く、また、耐久性についても配慮されている。
【００２０】
請求項５ないし８に記載された箸によれば、その箸先の端面部および箸頭の端面部に塗料が塗布され、かつ、箸先の端面部および箸頭の端面部以外の本体部分には、その周面を被う塗装は施されておらず、素材としての木あるいは竹が、この箸の本体部分の大部分において露出しているため、その木あるいは竹の趣が使用者に伝わり易く、また、耐久性についても配慮されている。
【００２１】
請求項７および８に記載された箸によれば、従来の割り箸の代わりに使用することにより、ゴミの減量化に役立つ。
【発明を実施するための最良の形態】
【００２２】
以下、この発明に係る箸を実施するための最良の形態を図面に基づいて説明する。図１〜図５は、本発明の一実施の形態を示す。図中符号１は、一膳の箸である。２は、箸１に塗布されている塗料である。
【００２３】
箸１は、木を素材（素地）とする箸であって、その箸先３の端面部３ａおよび箸頭４の端面部４ａに、水分の浸入を防ぐための、前記塗料２が塗布され、かつ、箸先３の端面部３ａおよび箸頭４の端面部４ａ以外の本体部分５には、その周面を被う塗装は施されておらず、前記素材（素地）が露出している。すなわち、箸先３の端面部３ａおよび箸頭４の端面部４ａ以外の本体部分５には、その周面を被ってしまうような塗膜は形成されていない。
【００２４】
具体的には、箸１には、例えば、スギ（椙、Ｊａｐａｎｅｓｅ  Ｃｅｄａｒ）、ヒノキ（檜、Ｊａｐａｎｅｓｅ  Ｃｙｐｒｅｓｓ）、シラカバ（白樺、Ｓｉｂｅｒｉａｎ  Ｓｉｌｖｅｒ  Ｂｉｒｃｈ）、エゾマツ（蝦夷松、Ｈｏｋｋａｉｄｏ  Ｓｐｒｕｃｅ）等の木が、その素材として用いられるが、これらに限定されない。そして、この箸１は、その長手方向における一端側ほど幅が狭くなるように形成されており、前記一端側が箸先３を、また、他端側が箸頭４を形成している（図１参照）。図示実施の形態においては、箸頭４は、その正面側が斜めに削ぎ落とされており、その端面４ｂは、箸頭４の先端に形成された先端面４ｄと、その先端面４ｄから斜めに折れ曲るようにして形成された傾斜面４ｅとを備える（図２、図５参照）。また、箸先３および箸頭４の先端は、例えば、やすり（紙やすり）等によって、木目をつぶすようにして削られており、箸先３の端面３ｂおよび箸頭４の端面４ｂ（詳細には、先端面４ｄ）は、滑らかな曲面を形成している（図３、図４参照）。そして、箸先３の端面部３ａ（図示実施の形態においては、前記端面部３ａは、端面３ｂとその近辺部３ｃとからなる。この近辺部３ｃは、例えば、前記端面３ｂから２ｍｍ以内程度、望ましくは１ｍｍ以内程度、周辺に広がった領域である。）、および箸頭４の端面部４ａ（図示実施の形態においては、前記端面部４ａは、端面４ｂとその近辺部４ｃとからなる。この近辺部４ｃは、例えば、前記端面４ｂから２ｍｍ以内程度、望ましくは１ｍｍ以内程度、周辺に広がった領域である。）に、塗料２としての漆（例えば、本漆、本漆に鉄分等の顔料を混入させた漆等）が塗布されている。
【００２５】
ここで、箸１には、素材としての木が有する導管もしくは仮導管が、箸先３の端面３ｂおよび箸頭４の端面４ｂに延びているので、それら端面３ｂ、４ｂから水分が浸入し易く、また、そのためカビも生じ易くなる。したがって、この箸１にあっては、それら端面３ｂ、４ｂから水分が浸入するのを防ぐために、箸先３の端面部３ａ（端面３ｂおよびその近辺部３ｃ）および箸頭４の端面部４ａ（端面４ｂおよびその近辺部４ｃ）を、塗料２によって形成される塗膜によって被覆している。そして、この箸１の、箸先３の端面部３ａと、箸頭４の端面部４ａとの僅かな領域を除いた、本体部分５の大部分において、すなわち、この実施の形態においては、箸先３の端面３ｂおよびその近辺部３ｃと、箸頭４の端面４ｂおよびその近辺部４ｃとの僅かな領域を除いた、本体部分５の大部分において、素材（素地）がそのまま露出している。
【００２６】
また、この実施の形態においては、箸１の素材として、割り箸由来の素材からなる木が用いられている。すなわち、割れ目が設けられていない、割り箸の形状に裁断された板材を、その長手方向に沿って二つに切断することによって得られる、一対の箸用素材（木）が、箸１の素材として用いられている。もちろん、この割り箸由来の素材からなる木は、割れ目が設けられた割り箸をその割れ目に沿って二つに割ることにより得られる、一対の箸用素材（木）であってもよい。このように、箸１は、使い捨ての箸である割り箸から得られる素材を利用して加工してなる箸である。
【００２７】
次に、以上の構成からなる箸１の作用効果について説明する。この箸１にあっては、箸先３の端面部３ａおよび箸頭４の端面部４ａ以外の、本体部分５の大部分において、素材（素地）としての木が、露出しており、その木の香りや肌触りといった趣が、使用者に伝わり易くなっている。そして、箸先３の端面部３ａおよび箸頭４の端面部４ａには、塗料２が塗布されており、それら端面部３ａ、４ａから水分が浸入し難くなっている。すなわち、この箸１にあっては、水分が浸入し易い、箸先３の端面部３ａおよび箸頭４の端面部４ａを、塗料２によって形成される塗膜によって被覆することによって、前記水分の浸入を防ぎ、箸１の耐久性の向上が図られている。しかも、この箸１にあっては、従来の塗り箸と比較して、塗料２を塗布する領域が圧倒的に小さく、その塗布作業に手間がかからないため、生産費も安価で有利である。
【００２８】
また、この箸１は、その素材として、割り箸由来の素材を用いつつ、前記の通り、耐久性にも配慮されているので、一回の使用によって使い捨てすることなく、繰り返して使用するのに適している。したがって、この箸１を、従来の割り箸の代わりに使用することにより、ゴミの減量化に役立つ。
【００２９】
なお、本発明は、上述した実施の形態に限定されるわけではなく、その他種々の変更が可能である。例えば、箸１は、木でなく、竹を素材として用いてもよい。そして、この竹においても、既述したような割り箸由来の素材からなる竹を用いることができる。
【００３０】
また、箸先３の端面部３ａおよび箸頭４の端面部４ａに塗布される塗料２は、前記漆以外にも、例えば、みつろう（ｂｅｅｓ  ｗａｘ）、柿渋（ａｓｔｒｉｎｇｅｎｔ  ｊｕｉｃｅ）、セラック（ｓｈｅｌｌａｃ）、植物性の乾性油（ｄｒｙｉｎｇ  ｏｉｌ）等の天然塗料とか、あるいは、合成樹脂塗料等のその他の塗料を用いることができる。
【００３１】
また、持ち手側である箸頭４の端面部４ａについては、図６に示すように、水分の浸入を防ぐ塗料２が塗布されていなくてもよい。すなわち、この箸１にあっては、その箸先３の端面部３ａにのみ、塗料２が塗布され、かつ、その箸先３の端面部３ａ以外の本体部分５、すなわち箸頭４の端面部４ａを含む本体部５には、その周面を被う塗装は施されておらず、箸１の素材（素地）が露出している。
【００３２】
また、箸先３の端面部３ａにのみ、塗料２が塗布されている場合にあっては、例えば、図６に示すように、その箸先３の端面部３ａ以外の本体部分５に、名あるいは氏名６とか、家紋７とか、その他にも、例えば、文字、言葉、記号、図形、色彩、模様等（以下、氏名、模様等と称する。）が表示されたり付されたりしてもよい。図示実施の形態においては、箸頭４における正面（その端面部４ａが備える傾斜面４ｅを含む。）および側面に、円形状の図形１０が表示され、また、箸先３の端面部３ａおよび箸頭４の端面部４ａ以外の本体部分５に、この箸１を使用する使用者の氏名６（欧文字表記「ＴＯＫＫＹＯ  ＪＩＲＯ」）が表示されている。また、箸先３の端面部３ａおよび箸頭４の端面部４ａに、塗料２が塗布されている場合にあっては、例えば、図７に示すように、それら箸先３の端面部３ａおよび箸頭４の端面部４ａ以外の本体部分５に、前記氏名、模様等が表示されたり付されたりしてもよい。図示実施の形態においては、前記端面部３ａ、４ａ以外の本体部分５に、この箸１を使用する使用者の氏名６（漢字表記「特許二郎」）および家紋７が表示されている。このように、箸１の使用者の名あるいは氏名６とか、家紋７が表示された箸１は、その箸１に対する使用者の愛着がわき易く、箸１の素材が割り箸由来の素材を利用しているにしても、使い捨てしてしまうことはなく、繰り返して使用する可能性が高く、ゴミの減量化という観点からは、有益な箸である。なお、図６に示す箸１（すなわち、箸先３の端面部３ａにのみ、塗料２が塗布されている箸１）にあっては、箸頭４の端面部４ａ（例えば、傾斜面４ｅ等）に、名あるいは氏名６とか、家紋７が表示されてもよいのは、もちろんである。また、前記氏名、模様等は、例えば、スクリーン印刷（Ｓｃｒｅｅｎ  Ｐｒｉｎｔｉｎｇ）、その他周知の印刷方法によって、箸１の前記本体部分５に直接印刷して表示してもよいし、あるいは、前記氏名、模様等が印刷された印刷物を貼り付けたりして表示してもよい。その他に、例えば、手彫りで、もしくはレーザー（Ｌａｓｅｒ）等で彫って表示したり、あるいは、判子とか転写シール（Ｃｏｐｙ  Ｓｅａｌ）を利用して表示したり、さらには、手書き等によって表示したりしてもよく、その表示方法は、任意である。
【００３３】
また、箸頭４は、図８に示すように、その正面側が斜めに削ぎ落とされていなくてもよい。そして、この図８に示す箸１においても、図６に示す箸１と同様に、箸頭４の端面部４ａについては、水分の浸入を防ぐ塗料２が塗布されていなくてもよい。
【００３４】
また、塗料２が塗布される箸頭４の端面部４ａは、図９（ａ）に示すように、箸頭４の端面４ｂ（図示実施の形態においては、滑らかな曲面を形成している先端面４ｄと傾斜面４ｅとを備える端面４ｂ）のみからなっていてもよい（すなわち、前記端面４ｂのみに、塗料２が塗布されていてもよい）。同様に、箸先３の端面部３ａは、図９（ｂ）に示すように、箸先３の端面３ｂ（図示実施の形態においては、滑らかな曲面を形成している端面３ｂ）のみからなっていてもよい（すなわち、箸先３の端面３ｂのみに、塗料２が塗布されていてもよい）。このように、図９（ａ）、（ｂ）に示される箸１は、箸先３の端面３ｂと、箸頭４の端面４ｂとのほんの僅かな領域を除いた、本体部分５の大部分において、素材（素地）がそのまま露出している。もちろん、箸頭４が、その正面側が斜めに削ぎ落とされていない箸１においても、図１０（ａ）、（ｂ）に示すように、塗料２が塗布される箸頭４の端面部４ａは、箸頭４の端面４ｂのみからなっていてもよいし、また、箸先３の端面部３ａは、箸先３の端面３ｂのみからなっていてもよい。また、図９（ａ）、（ｂ）および図１０（ａ）、（ｂ）に示される箸１においても、図６に示す箸１と同様に、箸頭４の端面部４ａについては、水分の浸入を防ぐ塗料２が塗布されていなくてもよい。
【００３５】
また、箸１は、その長手方向における一端側ほど幅が狭くなるように形成されていなくてもよく、例えば、その幅が前記長手方向に沿って一定となるように形成されていてもよいし、あるいは、図１１に示すように、両端側ほど幅が狭くなるように形成されていてもよい。この箸１にあっては、その長手方向における両端側にそれぞれ箸先３、３が形成されており、それら箸先３、３の端面部３ａ、３ａ（図示実施の形態においては、端面３ｂ、３ｂおよびそれらの近辺部３ｃ、３ｃ）は、漆等の塗料２によって形成される塗膜によって被覆されているが、それら端面部３ａ、３ａ以外の本体部分５には、その周面を被う塗装は施されていない。また、この箸１においても、前記本体部分５の略中央に、家紋７が表示されている。また、この箸１においても、図９（ｂ）および図１０（ｂ）に示すように、塗料２が塗布される箸先３、３の端面部３ａ、３ａは、端面３ｂ、３ｂのみからなっていてもよい。
【００３６】
また、図１〜図１１に示される箸１の素材としては、割り箸由来の素材ではなく、一般の塗り箸用の素材として用いられる木、竹を用いてもよい。
【００３７】
また、箸１は、図１２、図１３に示すように、割り箸であってもよい。この箸１においても、箸先３、３の端面部３ａ、３ａ（図示実施の形態においては、前記端面部３ａ、３ａは、滑らかな曲面を形成している端面３ｂ、３ｂとその近辺部３ｃ、３ｃとからなる。この近辺部３ｃは、例えば、前記端面３ｂから２ｍｍ以内程度、望ましくは１ｍｍ以内程度、周辺に広がった領域である。）、および箸頭４の端面部４ａ（図示実施の形態においては、前記端面部４ａは、滑らかな曲面を形成している先端面４ｄと傾斜面４ｅとを備える端面４ｂと、その近辺部４ｃとからなる。この近辺部４ｃは、例えば、前記端面４ｂから２ｍｍ以内程度、望ましくは１ｍｍ以内程度、周辺に広がった領域である。）には、漆等の塗料２が塗布されているが、それら端面部３ａ、４ａ以外の本体部分５には、その周面を被う塗装は施されておらず、素材（素地）が露出している。すなわち、この箸１にあっては、従来の割り箸と同様に、箸先３から長手方向に沿って形成された割れ目８に沿って二つに割って使用することになるが、箸先３、３の端面部３ａ、３ａおよび箸頭４の端面部４ａには、水分の浸入を防ぐための、漆等の塗料２が塗布されている（図示実施の形態においては、端面部３ａ、３ａには漆、端面部４ａには合成樹脂塗料が塗布されているが、その他の塗料を塗布してもよい。）ので、従来の割り箸と比較して、耐久性について配慮されており、繰り返し使用するのに適している。そして、この箸１を、従来の割り箸の代わりに使用することにより、ゴミの減量化に役立つ。
【００３８】
もちろん、この割り箸タイプの箸１においても、図９（ａ）、（ｂ）および図１０（ａ）、（ｂ）に示すように、塗料２が塗布される箸先３、３の端面部３ａ、３ａは、端面３ｂ、３ｂのみからなっていてもよいし、また、塗料２が塗布される箸頭４の端面部４ａは、端面４ｂのみからなっていてもよい。あるいは、この箸１の箸頭４の端面部４ａについては、図６に示す箸１と同様に、塗料２が塗布されていなくてもよい。また、この箸１の箸頭４については、図１２、図１３に示すように、その正面側が斜めに削ぎ落とされていてもよいし、あるいは、図１４、図１５に示すように、その正面側が斜めに削ぎ落とされていなくてもよい。さらに、この箸１は、木を素材として用いた割り箸（木割り箸）に限られるものでなく、竹を素材として用いた割り箸（竹割り箸）であってもよい。
【００３９】
また、図１〜図１５において、箸１の、箸先３の端面３ｂおよび箸頭４の端面４ｂ（もしくは、先端面４ｄ）は、曲面によって構成されているが、これら端面３ｂ、４ｂ（もしくは、先端面４ｄ）は、必ずしも曲面である必要はなく、平らな面から構成されていてもよい。
【図面の簡単な説明】
【００４０】
【図１】この発明の一実施の形態の、箸の正面図である。
【図２】同じく、箸の側面図である。
【図３】同じく、図１における箸の箸頭の端面部周辺を示す部分拡大図である。
【図４】同じく、図１における箸の箸先の端面部周辺を示す部分拡大図である。
【図５】同じく、図１における箸の箸頭の端面部周辺を示す部分拡大斜視図である。
【図６】同じく、この発明の箸の第一の変形例における、一部破断斜視図である。
【図７】同じく、この発明の箸の第二の変形例における、一部破断正面図である。
【図８】同じく、この発明の箸の第三の変形例における、一部破断斜視図である。
【図９】同じく、この発明の箸の第四の変形例を示し、（ａ）は箸頭の端面部周辺を示す部分拡大斜視図、（ｂ）は箸先の端面部周辺を示す部分拡大斜視図である。
【図１０】同じく、この発明の箸の第五の変形例を示し、（ａ）は箸頭の端面部周辺を示す部分拡大斜視図、（ｂ）は箸先の端面部周辺を示す部分拡大斜視図である。
【図１１】同じく、この発明の箸の第六の変形例における、正面図である。
【図１２】同じく、この発明の箸の第七の変形例における、正面図である。
【図１３】同じく、図１２における箸の箸頭の拡大側面図である。
【図１４】同じく、この発明の箸の第八の変形例における、正面図である。
【図１５】同じく、図１４における箸の箸頭の拡大側面図である。
【符号の説明】
【００４１】
１    箸
２    塗料
３    箸先
３ａ  箸先の端面部
４    箸頭
４ａ  箸頭の端面部
５    本体部分
６    名あるいは氏名
７    家紋
【図１】
2009034351.tif 000003
【図２】
2009034351.tif 000004
【図３】
2009034351.tif 000005
【図４】
2009034351.tif 000006
【図５】
2009034351.tif 000007
【図６】
2009034351.tif 000008
【図７】
2009034351.tif 000009
【図８】
2009034351.tif 000010
【図９】
2009034351.tif 000011
【図１０】
2009034351.tif 000012
【図１１】
2009034351.tif 000013
【図１２】
2009034351.tif 000014
【図１３】
2009034351.tif 000015
【図１４】
2009034351.tif 000016
【図１５】
2009034351.tif 000017